(57)【特許請求の範囲】
【請求項１】
柱と横架材が組み付けられて形成される方形空間に、縦材と横材により形成された方形枠材のいずれか一方の面側に面材を張り付けた壁パネルが、該面材の表面と柱及び横架材の表面をほぼ面一として装着され、この壁パネルの上下両横材及び該両横材と接する上下両横架材に通気路が形成され、これら通気路によって下横架材の下方から壁パネル内へ、さらに該壁パネル内から上横架材の上方に通気が可能となっている木質系建物において、
前記壁パネルの面材は、その四周縁が枠材の四周縁より若干内側に位置して張り付けられ、該面材の四周縁と、柱及び横架材との間に通気凹所が前記通気路と連通して形成され、該通気凹所を覆うようにシート材が面材に張り付けられていることを特徴とする木質系建物の通気装置。
【請求項２】
柱と横架材の組み付けが、軸組工法、木質プレハブ工法、枠組壁工法、ユニット住宅工法のいずれかにより行われる請求項１記載の木質系建物の通気装置。
【請求項３】
柱と横架材が組み付けられて形成される方形空間に、縦材と横材により形成された方形枠材のいずれか一方の面側に面材を張り付けた壁パネルが、該面材の表面と柱及び横架材の表面をほぼ面一として装着され、この壁パネルの上下両横材及び該両横材と接する上下両横架材に通気路が形成され、これら通気路によって下横架材の下方から壁パネル内へ、さらに該壁パネル内から上横架材の上方に通気が可能となっている木質系建物において、
前記壁パネルの面材は、その四周縁の張り付け側裏面が切り欠かれ、該切欠部が前記通気路と連通する通気凹所に形成されていることを特徴とする木質系建物の通気装置。
【請求項４】
柱と横架材の組み付けが、軸組工法、木質プレハブ工法、枠組壁工法、ユニット住宅工法のいずれかにより行われる請求項３記載の木質系建物の通気装置。
【請求項５】
壁パネルが横架材を挟んで上下に隣接して配置された際、これら隣接配置される壁パネルの通気凹所が、前記通気路と連通するようになっている請求項１ないし４のいずれかに記載の木質系建物の通気装置。
【請求項６】
壁パネルが柱を挟んで左右に隣接して配置された際、これら隣接配置される壁パネルの通気凹所が、柱に形成された第２の通気路によって連通するようになっている請求項１ないし５のいずれかに記載の木質系建物の通気装置。
【請求項７】
壁パネルの縦枠に前記通気凹所と連通する第３の通気路が形成されている請求項１ないし６のいずれかに記載の木質系建物の通気装置。
【請求項８】
請求項１に記載の木質系建物の通気装置に用いられるものであって、縦材と横材により形成された方形枠材と、該枠材のいずれか一方の面側に、その四周縁が枠材の四周縁より若干内側に位置して張り付けられた面材とを具えたことを特徴とする壁パネル。
【請求項９】
請求項３に記載の木質系建物の通気装置に用いられるものであって、縦材と横材により形成された方形枠材と、該枠材のいずれか一方の面側に張り付けられた面材とを具え、この面材の四周縁の張り付け側裏面が切り欠かれていることを特徴とする壁パネル。
【発明の詳細な説明】
【０００１】
【発明の属する技術分野】
この発明は、木質系建物の通気装置及び壁パネル、さらに詳しくは木造軸組工法、木質プレハブ工法、枠組壁工法、ユニット住宅工法などにより構築される木質系建物の壁体内湿気を効率よく取り除いて建物全体の耐久性を向上させることができる通気装置と該装置に用いられる壁パネルに関するものである。
【０００２】
【従来の技術】
木質系建物の高断熱・高気密化により、外壁の壁体内には、冬季に室内が高湿になり、室内側から湿気が侵入して壁体内の腐朽が問題となる。それを解決する方法として、外壁の外側又は内部（外壁の面材の内側）を通気する方法がとられている。その代表的な方法には次の２方法がある。そのうちの１つは、在来の軸組み工法により外壁の下地に縦胴縁を取り付け、その胴縁の上に外装材を張って外壁の下地と外装材の間の空間に土台付近より外気を取入れ、軒桁付近まで外装材と外壁下地材間を通気する方法である。この方法では、外壁の骨組みに構造用の面材を張る場合には、その面材の外側を通気するため、室内側から入った湿気が面材の内部に溜まり、外部に抜けない欠点がある。そのため、これを解決する方法として、外壁の構造用面材の壁内側に通気層を設け、壁内の湿気を排出する通気方法が提案されている（例えば、特許文献１）。
【０００３】
【特許文献１】
特開平７−２５９２０４号公報（第２頁、図１，２）
【０００４】
この方法は、建物が例えば２階建ての場合、外気は１階の土台を介して１階の壁パネルの下横材に設けた欠き込みから該壁パネル内を通気し、壁パネルの上横材から胴差しを介して２階の壁パネルの下横材から２階の壁パネル内を通気し、２階の壁パネルの上横材から桁を通じて外部に通気する。
【０００５】
ところで、この方法では、土台から入った乾燥空気は１階の壁パネル内の除湿には効果が大きいが、２階の壁パネル内では通気の空気が既に１階の壁パネル内の湿気が含まれているため除湿の効果が小さいという課題があった。
【０００６】
【発明が解決しようとする課題】
そこでこの発明は、前記のような従来の問題点を解決し、１階の壁パネル内は勿論、２階の壁パネル内でも除湿の効果が大きい木質系建物の通気装置と該装置に用いられる壁パネルを提供することを目的とする。
【０００７】
【課題を解決するための手段】
前記目的を達成するため、請求項１に記載の発明は、柱と横架材が組み付けられて形成される方形空間に、縦材と横材により形成された方形枠材のいずれか一方の面側に面材を張り付けた壁パネルが、該面材の表面と柱及び横架材の表面をほぼ面一として装着され、この壁パネルの上下両横材及び該両横材と接する上下両横架材に通気路が形成され、これら通気路によって下横架材の下方から壁パネル内へ、さらに該壁パネル内から上横架材の上方に通気が可能となっている木質系建物において、前記壁パネルの面材は、その四周縁が枠材の四周縁より若干内側に位置して張り付けられ、該面材の四周縁と、柱及び横架材との間に通気凹所が前記通気路と連通して形成され、該通気凹所を覆うようにシート材が面材に張り付けられていることを特徴とする。請求項２に記載の発明は、請求項１において、柱と横架材の組み付けが、軸組工法、木質プレハブ工法、枠組壁工法、ユニット住宅工法のいずれかにより行われることを特徴とする。
【０００８】
請求項３に記載の発明は、柱と横架材が組み付けられて形成される方形空間に、縦材と横材により形成された方形枠材のいずれか一方の面側に面材を張り付けた壁パネルが、該面材の表面と柱及び横架材の表面をほぼ面一として装着され、この壁パネルの上下両横材及び該両横材と接する上下両横架材に通気路が形成され、これら通気路によって下横架材の下方から壁パネル内へ、さらに該壁パネル内から上横架材の上方に通気が可能となっている木質系建物において、前記壁パネルの面材は、その四周縁の張り付け側裏面が切り欠かれ、該切欠部が前記通気路と連通する通気凹所に形成されていることを特徴とする。請求項４に記載の発明は、請求項３において、柱と横架材の組み付けが、軸組工法、木質プレハブ工法、枠組壁工法、ユニット住宅工法のいずれかにより行われることを特徴とする。
【０００９】
請求項５に記載の発明は、請求項１ないし４のいずれかにおいて、壁パネルが横架材を挟んで上下に隣接して配置された際、これら隣接配置される壁パネルの通気凹所が、前記通気路と連通するようになっていることを特徴とする。請求項６に記載の発明は、請求項１ないし５のいずれかにおいて、壁パネルが柱を挟んで左右に隣接して配置された際、これら隣接配置される壁パネルの通気凹所が、柱に形成された第２の通気路によって連通するようになっていることを特徴とする。請求項７に記載の発明は、請求項１ないし６のいずれかにおいて、壁パネルの縦枠に前記通気凹所と連通する第３の通気路が形成されていることを特徴とする。
【００１０】
請求項８に記載の発明は、請求項１に記載の木質系建物の通気装置に用いられる壁パネルであって、縦材と横材により形成された方形枠材と、該枠材のいずれか一方の面側に、その四周縁が枠材の四周縁より若干内側に位置して張り付けられた面材とを具えたことを特徴とする。請求項９に記載の発明は、請求項３に記載の木質系建物の通気装置に用いられる壁パネルであって、縦材と横材により形成された方形枠材と、該枠材のいずれか一方の面側に張り付けられた面材とを具え、この面材の四周縁の張り付け側裏面が切り欠かれていることを特徴とする。
【００１１】
【発明の実施の形態】
この発明の一実施の形態を、添付図面を参照して説明する。図１は木造軸組工法により木質系建物を構築中の状態を示す部分斜視図で、建物の外側から見ている。図２はその一部である壁パネルの取り付け状態を拡大して示す部分斜視図、図３は図２のＡ−Ａ線に沿う断面図である。
【００１２】
１は図示しない基礎の上に配設された土台、２は土台１の上に所定間隔をおいて複数本立設された柱、３，４は柱２間にわたって配設された胴差、桁であり、これらが図１で示すように組み付けられることにより、計４つの方形空間が形成される。そして胴差３より下方が建物の１階、胴差３より上方が同２階を構成する。柱２間の間隔が狭い図１で左方の上下２つの方形空間には壁パネル５が装着され、柱２間の間隔が広い右方の上下２つの方形空間には壁パネル５が２連として、あるいは該空間をさらに細分して垂れ壁パネル６、腰壁パネル７が両壁パネル間に窓８を形成して装着されている。
【００１３】
壁パネル５は図４に示すように、縦材１１と横材１２により形成された方形枠材１０と、該枠材の一方の面側に、その四周縁が枠材１０の四周縁より若干（例えば９ｍｍ）内側に位置して張り付けられた面材１３とを具えている。１５は縦材１１と横材１２に所定間隔で切欠形成された通気路であり、面材１３側と左右側が開口している。１６は壁パネル５内を左右に仕切る中央縦材である。壁パネル５は一例であって、このほかにも壁パネル５内を上下に仕切る横材を設けた構成としてもよいし、中央縦材１６を省略してもよい。壁パネル５は、面材１３の表面と、柱２及び横架材としての土台２、胴差３、桁４の表面がほぼ面一となるようにして前記方形空間に装着される。これにより面材１３の四周縁と、柱２及び土台２、胴差３、桁４との間に通気凹所１７が環状に連なって形成される。
【００１４】
一方、壁パネル５が装着される方形空間を形成する柱２、土台１、胴差３、桁４には、通気路１５と連通する通気路が形成されている。すなわち、柱２間の間隔が狭い図１で左方の方形空間に装着された壁パネル５においては、図１，５に示すように壁パネル５の枠材１０の上横材１２と接して配置される桁４には長さ方向に所定間隔をおいて通気路２０が上下に貫通して形成されているとともに、その上下面の長さ方向に通気凹溝２１，２２が該通気路の上下開口及び桁４の下に配置の壁パネル５の通気路１５、通気凹所１７と連通して形成されている。
【００１５】
図１，６に示すように壁パネル５の枠材１０の上横材１２及び下横材１２と接して配置される胴差３には長さ方向に所定間隔をおいて通気路２４が上下に貫通して形成されているとともに、その上下面の長さ方向に通気凹溝２５，２６が該通気路の上下開口及び胴差３の上下に配置の壁パネル５の通気路１５、通気凹所１７と連通して形成されている。
【００１６】
図１，７に示すように壁パネル５の枠材１０の下横材１２と接して配置される土台１には長さ方向に所定間隔をおいて通気路２８が上下に貫通して形成されているとともに、その上下面の長さ方向に通気凹溝２９，３０が該通気路の上下開口及び土台１の上に配置の壁パネル５の通気路１５、通気凹所１７と連通して形成されている。
【００１７】
図１，８に示すように壁パネル５の枠材１０の縦材１１と接して配置される柱２には長さ方向に所定間隔をおいて通気路３２が左右に貫通して形成されているとともに、その左右側面の長さ方向に通気凹溝３３，３４が該通気路の左右開口及び柱を挟んで左右に隣接して配置の壁パネル５の通気路１５、通気凹所１７と連通して形成されている。
【００１８】
柱２間の間隔が広い図１で右方の方形空間に装着された壁パネル５においては、図１に示すように胴差３より下方では左右に２連の構成となっている点を除けば、柱２間の間隔が狭い図１で左方の方形空間に装着された壁パネル５で説明したのと同様の構成であるので、詳しい説明は省略する。図９（Ｂ）は２連構成の壁パネル５の接続部を示し、図から明らかのように該接続部では両壁パネル５の通気凹所１７が２連構成となっていない通気凹所１７を示す図９（Ａ）の倍の大きさに形成される。
【００１９】
胴差３より上方では前記したように垂れ壁パネル６、腰壁パネル７が配設されている。垂れ壁パネル６は壁パネル５を扁平状にした形状からなり、面材の左右の周縁及び上周縁が枠材の四周縁より若干内側に位置するとともに、面材の下周縁が枠材の四周縁と一致した位置となっており、柱２及び桁４との間で通気凹所１７を形成している。枠材の上横材と縦材には通気路１５が形成され、下横材には通気路が形成されていない。腰壁パネル７は垂れ壁パネル６に比べて高さ寸法がやや大きく、天地逆に配設されている点を除けば、これと基本構成が同様である。したがって、各部の説明には壁パネル５で用いたのと同様の符号を使用することとする。
【００２０】
方形空間に壁パネル５、垂れ壁パネル６、腰壁パネル７が装着された後、これら壁パネルの面材の表面には図８に示すように防水シート３６が張られ、さらにその上に図示しない外装材が張り付けられる。また、これら壁パネル内には図示しない換気パッキンにより通気を確保したうえで図示しない断熱材が装填され、しかる後に枠材の他方の面に図示しない石膏ボードが張り付けられる。そして前記石膏ボードが張り付けられたその内面側には、さらに内装が施されることになる。
【００２１】
前記のような構成からなる建物の通気作用を次に説明する。柱２間の間隔が狭い方形空間に装着された壁パネル５においては、土台１の下の空気が、土台１の通気凹溝３０、通気路２８、通気凹溝２９から１階の壁パネル５の下横材１２の通気路１５を経て壁パネル５内に入り、該パネル内では中央縦材１６でセパレートにされて上方に流通し、上横材１２の通気路１５から胴差３の通気凹溝２６に向かい、通気路２４、通気凹溝２５から２階の壁パネル５の下横材１２の通気路１５を経て壁パネル５内に入り、該パネル内では前記と同様に中央縦材１６でセパレートにされて上方に流通し、上横材１２の通気路１５から桁４の通気凹溝２２に向かい、そこから通気路２０を経て上方へ抜ける。
【００２２】
また、土台１の下の空気は、図３に矢印で示すように土台１の通気凹溝３０、通気路２８、通気凹溝２９から１階の壁パネル５の通気凹所１７へも入り込み、通気凹所１７においては、図２から明らかのように一旦、左右方向に分岐して上方に向かい、通気路１５を経て胴差３の通気凹溝２６、通気路２４、通気凹溝２５から２階の壁パネル５の通気凹所１７へも入り込み、ここでも前記と同様に左右方向に分岐してから上方に向かい、通気路１５から桁４の通気凹溝２２、通気路２０を経て上方へ抜ける。この間に通気凹所１７を通る空気の一部が壁パネル５縦材１１の通気路１５から壁パネル５内にも入り込み、該パネル内の空気と混合し、従来とかく湿気の多かった２階の壁パネル５内の空気を乾燥する役目を果たす。図示していないが、３階建ての建物の壁パネル５にあっても前記と同様な作用効果を期待することができる。
【００２３】
柱２間の間隔が広い方形空間に装着された壁パネル５においては、土台１の下の空気が、２連構成の壁パネル５では腰壁パネル７までは前記と同様に流通する。しかし、腰壁パネル７と垂れ壁パネル６の間には窓８があって、その流通が遮断される。この場合には前記したように１階の壁パネル５から腰壁パネル７の通気凹所１７へ入った空気が柱２の凹溝３３，３４を通って垂れ壁パネル６の通気凹所１７に入り、かつそこを通る一部の空気が通気路１５を経て垂れ壁パネル６内に入り込み、いずれも該パネルの上横材１２の通気路１５を経て桁４の通気路２０から上方へ抜ける。したがって、この場合でも腰壁パネル７あるいは垂れ壁パネル６内の空気からは湿気が除去され、空気は効果的に乾燥されることとなり、前記と同様な作用効果を期待することができる。
【００２４】
図１０は壁パネルの変形例を示し、（Ａ）は壁パネルと柱の接続部、（Ｂ）は壁パネルが２連構成である接続部のそれぞれ部分図を表す。この壁パネル５ａの面材１３ａは、その四周縁の張り付け側裏面が断面三角状に切り欠かれ、該切欠部が通気路１５ａと連通する通気凹所１７ａに形成されている。そのほかの構成は壁パネル５と同様であるので、同様の部分には同一符号を付して説明を省略する。このような面材１３ａを用いれば面材の取付に際し、壁パネル５の面材１３のように張り付け位置を微妙に調整したりすることもなく、張り付け作業が非常に便利となる。
【００２５】
図１１はさらに別の壁パネルの変形例を示し、（Ａ）は壁パネルと柱の接続部、（Ｂ）は壁パネルが２連構成である接続部のそれぞれ部分図を表す。この壁パネル５ｂの面材１３ｂは、その四周縁の張り付け側裏面が断面円弧状に切り欠かれ、該切欠部が通気路１５ｂと連通する通気凹所１７ｂに形成されている点を除けば、図１０の壁パネル５ａと同様な構成である。このような壁パネル５ｂにおいても前記壁パネル５ａと同様な作用効果が期待できる。
【００２６】
尚、前記実施の形態は好ましい一例を示したにすぎない。例えば前記では木造軸組み工法で組み付けられた柱と横架材とで形成される方形空間に壁パネルを装着したが、工法としてはそのほかに木質プレハブ工法、枠組壁工法、ユニット住宅工法など任意の工法を用いることが可能である。また、壁パネルの枠材や柱、胴差、桁などの横架材に設けた通気路等もあくまでも一例であり、実施に際しては特許請求の範囲に記載した技術的な事項の範囲内でその設計を任意に変更、修正することが可能であることはいうまでもない。
【００２７】
【発明の効果】
請求項１ないし７に記載の木質系建物の通気装置によれば、前記のような構成からなるので、壁パネルの面材に形成した通気凹所から壁パネル内へのが可能となり、１階の壁パネル内は勿論、２階の壁パネル内でも除湿の効果が大きくなるという優れた効果がある。請求項８，９に記載の壁パネルによれば、前記のような構成からなるので、請求項１ないし７に記載の木質系建物の通気装置に用いることができるという優れた効果がある。
【図面の簡単な説明】
【図１】この発明の一実施の形態の、木造軸組工法により木質系建物を構築中の状態を示す部分斜視図である。
【図２】同上の一部である壁パネルの取り付け状態を拡大して示す部分斜視図である。
【図３】図２のＡ−Ａ線に沿う断面図である。
【図４】壁パネルを示し、（Ａ）はその正面図、（Ｂ）は底面図、（Ｃ）は側面図を表す。
【図５】図１のＡ部拡大の部分斜視図である。
【図６】図１のＢ部拡大の部分斜視図である。
【図７】図１のＣ部拡大の部分斜視図である。
【図８】図１のＤ部拡大の部分斜視図である。
【図９】同上の通気凹所を示し、（Ａ）は壁パネルと柱が隣接している部分、（Ｂ）は壁パネルと壁パネルが隣接している部分を表す。
【図１０】壁パネルの変形例を示し、（Ａ）は壁パネルと柱の接続部、（Ｂ）は壁パネルが２連構成である接続部のそれぞれ部分図を表す。
【図１１】さらに別の壁パネルの変形例を示し、（Ａ）は壁パネルと柱の接続部、（Ｂ）は壁パネルが２連構成である接続部のそれぞれ部分図を表す。
【符号の説明】
１  土台                              ２  柱
３  胴差                              ４  桁
５  壁パネル                          ６  垂れ壁パネル
７  腰壁パネル                        ８  窓
１０  方形枠材                        １１  縦材
１２  横材                            １３  面材
１５，２０，２４，２８，３２  通気路
１７  通気凹所
２１，２２，２５，２６，２９，３０，３３，３４  通気凹溝
３６  防水シート（シート材）
【図１】
0003603077.tif 000002
【図２】
0003603077.tif 000003
【図３】
0003603077.tif 000004
【図４】
0003603077.tif 000005
【図５】
0003603077.tif 000006
【図６】
0003603077.tif 000007
【図７】
0003603077.tif 000008
【図８】
0003603077.tif 000009
【図９】
0003603077.tif 000010
【図１０】
0003603077.tif 000011
【図１１】
0003603077.tif 000012